(57)【要約】      （修正有）【課題】デリケートな部分の肌への刺激を軽減することを目的とした内側に凹凸のない布ナプキン（生理帯）が一体となったＴバック・サニタリーショーツを提供する。【解決手段】Ｔバック・ショーツを前身ごろとクロッチ部分にあたる交換可能な第一部位とＴホルター５を成す第二部位に分割し、ショーツの第一部位に吸収シートと防水シートを包み込む形で布ナプキン（生理帯）を一体化することで、デリケートな部分に凹凸のない作りとしている。また、ライナータイプは、通常の布ナプキンにおけるライナーとなるシートが、第一部位の全体を成しているため、同様にデリケートな部分に凹凸のないつくりをしており、第一部位を交換する際には  下着を取り替えるに等しい効果を得ることができる。【選択図】図１
0003195286.tif 000002
【実用新案登録請求の範囲】
【請求項１】
月経時に排泄される経血および、おりものを吸収する  ショーツの前身ごろとクロッチ部が一体化し且つ布ナプキン（生理帯）をなす取替え可能な第一部位とそれを支えるＴ字型のホルターとなる第二部位という分離した二つの部位から成るという特徴を持つＴバック・サニタリーショーツ。
【請求項２】
月経時に排泄される経血および、おりものを吸収する  ショーツの前身ごろとクロッチ部が一体化し且つ布ナプキン（生理帯）をなす取替え可能な第一部位が、選択  組み合わせた吸収シートや防水シートを包み込むことで成るという特徴を持つサニタリーショーツ。
【考案の詳細な説明】
【技術分野】
【０００１】
本考案は月経時に排泄される経血および、おりものを吸収する  ショーツの前身ごろとクロッチ部が一体化し且つ布ナプキン（生理帯）をなす取替え可能な第一部位とそれを支えるＴ字型のホルターとなる第二部位からなるＴバック・サニタリーショーツ（生理用下着）とその形状に関する。
【背景技術】
【０００２】
従来、ショーツのクロッチ部が吸収帯および生理帯になっているもの（例えば、特許文献１）は、紙ナプキンを使用することなくショーツ自体が経血および  おりもの等を吸収することで  ショーツと布製生理帯の機能を併せ持つものである。布でできているため  肌ストレスも少なく、洗って使いまわすことができて経済的である利点がある。
【０００３】
従来の布ナプキンには  ハンカチ型のナプキン（例えば、特許文献２）（その中には  布端やポリエステル糸による肌への刺激をできる限り抑えたものもある（例えば特許文献３））は、畳んだものを  ショーツの内側にあてがって使用することを基本とし、それを折り返して１枚を何度も汚れのない部分を  上部に折りかえることで、布ナプキン自体を可能な限り取り替えず使用するものである。ハンカチ状のナプキンを折畳んで使うため布ナプキン自体の厚みが均一であり  よって洗濯しやすく  乾きやすいものである。上記のショーツと同様  洗うことで何度も繰り返し使えるため  経済的にも肌にも優しいものである。
【０００４】
従来の布ナプキンの中には  羽根（ウイング）つき長方楕円型の紙ナプキンに形が類似しており  面ファスナやスナップボタンでショーツに台座を取り付けるものがある（例えば、特許文献４や特許文献５）。その台座の上に経血の量に応じて  長方楕円型のパッド型布ナプキンであったり上記に挙げたハンカチ型ナプキンを畳んだものを  ファスナやスナップボタンで直接台座に設置したり、台座に挟み込んだりすることで交換のしやすさ  落としにくさなどの問題を解決している。
【先行技術文献】
【特許文献】
【０００５】
【特許文献１】特開平２０１３−２３７９２号公報
【特許文献２】特開平２００１−３５３１８２号公報
【特許文献３】実用新案出願２００５−１１３５７  登録実用新案第３１２２１９６号
【特許文献４】実用新案出願２００９−５３８１  登録実用新案第３１５４５３２号
【特許文献５】特開平２０１３−２３７９２号公報特開平２０１１−１０４３２８号公報
【考案の概要】
【考案が解決しようとする課題】
【０００６】
従来の生理帯一体型ショーツでは、経血の量が多い日など、ズボンやストッキング、靴などを履いた状態で  使用済みのショーツ自体を新しいものに交換することは困難である。また、クロッチ部の成り立ちが吸収帯の重なりで  縫い付けてあるため  吸収帯に吸収された経血などが中までしっかり洗濯し難く  乾きにくいという問題がある。
【０００７】
従来のハンカチ型布ナプキンは  上にも記したとおり、基本ショーツと身体の間に挟むような状態で使用するため、ずれやすい、ショーツの脱着の際に落としやすいなどの問題があった。
また、経血は出血部から  重力方向に  重なった布をまたいで垂直にしみこむ性質があり、防水シートなどの重力方向への吸収をブロックするものにぶつからない限りは  横に広がらないため  出血の多いに日には  短いタームで折かえさないと一部分のみ  一番下の層まで何層にも渡って染み込んでしまうという問題がある。同様、短いタームで畳みかえるということはつまり、少量の血液付着であるということになり、そうする事で  洗濯前に経血が乾いてしまい、結果  洗濯時に汚れを落としにくいという問題もある。
【０００８】
ハンカチ型布ナプキンのずれ易さや  落とし易さを解決した  台座パーツと吸収帯を分離したタイプは、ハンカチ型が持っていた  洗濯し易さ  乾き易さの利点を失っているほか、台座パーツやパッドが、オーバーロック（例えば特許文献３  図３）ないしは  トリミング（例えば特許文献３  図４）の技術を使用している場合が多く、デリケートな部分の肌に当たる面に凹凸があるため  肌への摩擦による皮膚障害が起こりやすいという問題がある。現実、市場では  その複雑なつくりや  加わった付属品（スナップ、ファスナなど）からか、ハンカチタイプに比べて高額である場合が多く、使い捨てタイプに比べて  洗濯することで使いまわせるので  経済的だとは  一概に言えなくなってしまっている。
面ファスナを利用して台座に装着するもの（例えば特許文献４）については  スナップに比べて面で  布地と接着しているため  脱着時に接着している周辺の布地への負担が少なく  やわらかい布素材を使用することができる利点があるが、面ファスナの雄側がどんなに薄く柔軟性の高いものでも、布ナプキンに使われる吸収力の高い綿ネル、綿パイル、綿ワッフルという素材はもちろん  ストッキングやデリケートな素材の洋服に引っかかりやすく、着用時はもちろん、洗濯する際にも、洗濯機を使う場合は他のものへの被害を抑えるため  雌側をつけて洗う必要があり、手洗いの場合も雄側の素材が周りないしは他の素材を傷つけてしまうという問題がある。
スナップも、面ファスナの雄側も、そのものが  硬く布ナプキンが  厚い場合は  気になりにくいが、おりものや少量の経血時に  薄いパッドや布を使用する場合には  肌に当たる面に凹凸を感じる場合がある。
【０００９】
これらの問題点をふまえて、この考案は、自然素材（布）を使うことはもちろん、端布やオーバーロック、トリミング、面ファスナやスナップによるデリケートな部分の肌への摩擦をなくすことで  肌への刺激をできる限り抑えたつくりとし、なおかつ従来の布ナプキンのもつ  取替え可能な部分や、ハンカチタイプにあるような  洗濯し易さ、乾きやすさを維持しつつも、ずれや落としやすさ就寝時の体の後方への漏れなどの問題がないサニタリーショーツを提供することである。
【課題を解決するための手段】
【００１０】
以上の課題を解決するため  月経時に排泄される経血および、おりものを吸収する  ショーツの一部（前身頃からクロッチ部にかけて）であり  布ナプキン（生理帯）をなす第一部位（以下、三角帯とする。）とそれを支えるＴ字型のホルターである第二部位（以下、Ｔホルターとする。）に分けて構成することで  三角帯の取替えを可能とする。
【００１１】
三角帯は三枚の二等辺三角形の布を縫い合わせてできており（中心の直接女性器とその周辺のデリケートな肌に触れる部分にあたる二等辺三角形の布は  綿ボイル（さらっとした肌触り）ないしは、ニット地である綿パターンメッシュ（ふわっとした肌触り）を使用する）、端布を内側に折り込むことで  端布やオーバーロック  トリミングのテープを使わずに  形成した三角形の袋とその中に折畳んで組み合わせてセットインする吸収シート（布）と防水シート（片面コーディング布）によって形成するものである。
【００１２】
おりもの対応のライナータイプの三角帯は、二枚の布を袋状に縫い合わせることで端布を内側にしまいこんだつくりとする。
【００１３】
ＴホルターはＴ字型に下着用平ゴムまたはゴム・リボンにより形成し、三端に下着用フックを固定したものである。また  下着用バックルを使うことによりウエスト部分は長さを調節できる仕様とする。
【考案の効果】
【００１４】
以上の手段により、端布やオーバーロック、トリミング、面ファスナやスナップによる女性器周辺のデリケートな肌への不必要な摩擦を最大限になくしている。
【００１５】
三角帯の表面面をなす三角形の袋に、セットインする単数ないしは複数の吸収シート（布）、防水シート（綿ネル片面防水コーディング布）は  三角形の袋布の内側との接触部分が広く、摩擦力の高い布同士であり、摩擦でずれない仕組みとなっている。
【００１６】
また、経血量の多いときには、図１２のように  吸収シートの一枚を扇の支点を中心にコーン型に巻いたものを三つ折りしたもう一枚の吸収シートに乗せた状態でセットインすることにより、寄り体に沿った形の生理帯をなし、横漏れや後ろ漏れを防ぐことができる。
【００１７】
三角形の袋型表面部、セットインする吸収シート、おりもの対応のライナータイプは  それぞれ厚さが均一であるため洗濯しやすく、三角の頂点又は、扇の支点を下に向けて干すことで、手洗いした場合でもより早い乾燥を促すことができるつくりとなっている。
【図面の簡単な説明】
【００１８】
【図１】本考案第一の実施例におけるショーツ全体を示した斜視図である。（ａ）正面の斜視図である。（ｂ）背面の斜視図である。
【図２】本考案第一の実施例におけるショーツ全体を示した正面図である。
【図３】本考案第一の実施例におけるショーツ全体を示した背面図である。
【図４】本考案第一の実施例におけるショーツ全体を示した左側面図である。
【図５】本考案第一の実施例におけるショーツ全体を示した右側面図である。
【図６】本考案第一の実施例におけるショーツ全体を示した平面図である。
【図７】本考案第一の実施例におけるショーツ全体を示した底面図である。
【図８】本考案第一の実施例におけるショーツの解体した２パーツを示した表面図である。（ｃ）Ｔホルターの表面図である。（ｄ）三角帯の表面図である。
【図９】本考案第一の実施例におけるショーツの解体した２パーツを示した裏面図である。（ｅ）三角帯の裏面図である。（ｆ）Ｔホルターの裏面図である。
【図１０】本考案第一の実施例におけるショーツ内にセット（装着）するシートを広げ示した表面図である。（ｇ）吸収シート大の表面図である。（ｈ）吸収シート小の表面図である。（ｉ）防水シートの表面図である。
【図１１】本考案第一の実施例におけるショーツ内にセット（装着）するシートを広げ示した裏面図である。（ｊ）吸収シート大の裏面図である。（ｋ）吸収シート小の裏面図である。（ｌ）防水シートのの裏面図である。
【図１２】本考案第一の実施例における三角帯内にセット（装着）している過程を示した斜視図である。
【図１３】本考案第二の実施例におけるショーツ全体を示した斜視図である。（ｍ）正面の斜視図である。（ｎ）背面の斜視図である。
【図１４】本考案第二の実施例におけるショーツ全体を示した正面図である。
【図１５】本考案第二の実施例におけるショーツ全体を示した背面図である。
【図１６】本考案第二の実施例におけるショーツ全体を示した左側面図である。
【図１７】本考案第二の実施例におけるショーツ全体を示した右側面図である。
【図１８】本考案第二の実施例におけるショーツ全体を示した平面図である。
【図１９】本考案第二の実施例におけるショーツ全体を示した底面図である。
【図２０】本考案第二の実施例におけるショーツの解体した２パーツを示した表面図である。（ｏ）Ｔホルターの表面図である。（ｐ）三角帯の表面図である。
【図２１】本考案第二の実施例におけるショーツの解体した２パーツを示した裏面図である。（ｑ）三角帯の表面図である。（ｒ）Ｔホルターの表面図である。
【考案を実施するための形態】
【実施例１】
【００１９】
この考案の第一実施形態を  図１‐１２に示す。三角帯は  図８‐９に示したように底辺が１４０ｍｍ高さが３６０ｍｍの二等辺三角形をしている。三角帯外側面１（１）三角帯外側面２（２）三角帯内側面（３）を三角帯内側面（３）を中心に挟む状態で扇形に縫い合わせた三枚の二等辺三角形を  縫い目で端布を内側に  布を折りたたんだ状態で三つの二等辺三角形の底辺となる部分で縫い合わせる。三頂点には平ゴムで小さなループ（４）を取り付ける。中心にくる  三角帯内側面（３）は  薄く、液体を通しやすく、肌触りのさらっとしている綿ボイルないしは、肌触りがその布のやわらかさから  ふわっとしている綿パターンメッシュを使用する。それぞれに  薄いため汚れが落ちやすい、乾きやすいなどの利点がある。それを挟み込む2つの三角形は  外布となる。外布には基本  綿や麻、などの自然素材を使用する。
この三角帯内部に包み込む形で、経血の量に合わせて、綿パイルもしくは綿ネル、を使って作られた  シート状の扇形パーツ（１１，１２）を、図１２に示すように  三つ折りもしくは  コーン状に巻いたものや、吸収シート小（１２）を組み合わせてセットする、一番外側に  綿ネルの片側面が防水加工されている三角型パーツ（１３）を防水加工面が身体側に向くように配置し、包み込むことで1セットとする。
シート状の扇形パーツ（１１，１２）および防水加工されている三角型パーツ（１３）は共に一重であり、端には糸のほつれを防ぐために  ジグザグ・ステッチをかける。この時、パーツの乾きやすさやシート上の凹凸を限りなく抑えるため、ジグザグ・ステッチは最小限のものとする。
その日の量にあわせて、中身を組み合わせ、何セットか準備し、セットされた三角帯を取り替えることで清潔に保つ。
Ｔホルター（５）は、下着用平ゴムないしは  ゴム・リボンでできており  その三つの端に  下着用フック（６）を取り付けている。このフック（６）を三角帯の三頂点に取り付けた平ゴムのループ（４）に引っ掛けることで  セットした三角帯が交換可能な布ナプキン一体型Ｔバック・サニタリーショーツとしている。
【実施例２】
【００２０】
考案の第二実施形態を  図１３‐２１に示す。三角帯は  おりもの用のライナータイプで  図２０‐２１に示したように底辺が140 mm高さが360mmの二等辺三角形をしている。それは、三角帯外側面（14）三角帯内側面（15）となる二枚の布地を三頂点に位置するループ（4）も同時にはさんで袋状に縫い合わせ縫い代（端布）（10）が内側に入るように裏返したものである。中心にくる  三角帯内側面（13）には  パターンメッシュ地や細番手のリブニット地等の肌触りの柔らかな綿素材  または絹ニット地を使用する。三角帯外側面（14）には  三角帯内側面（13）と同組成の布やチュール、レース等を使用する。このとき、縫い目が表にも出るため、綿素材には綿の  絹素材には絹の糸を使うことが望ましい。
実施例2においても  実施例1と同様  三角帯を取り替えることで清潔に保つ。
Ｔホルター（5）は、実施例1と同様のものである。
絹を使ったライナーは、女性器の周りのデリケートな部分に  かゆみや炎症を起こしてしまった後に使用することで  患部を抗菌、炎症を鎮圧することもできる。
【産業上の利用可能性】
【００２１】
本考案は  従来の紙ナプキンや布ナプキンでは、かゆみや炎症を起こすデリケートな肌を持つ女性に提供されるべき製品である。
【符号の説明】
【００２２】
１−三角帯外側面1
２−三角帯外側面2
３−三角帯内側面
４−ループ
５−Ｔホルター
６−フック
７−バックル
８−ミシン縫い目  直線
９−ミシン縫い目  ジグザグ
１０−縫い代（端布）
１１−吸収シート大
１２−吸収シート小
１３−防水シート
１４−三角帯外面
１５−三角帯内面
【図１】
0003195286.tif 000003
【図２】
0003195286.tif 000004
【図３】
0003195286.tif 000005
【図４】
0003195286.tif 000006
【図５】
0003195286.tif 000007
【図６】
0003195286.tif 000008
【図７】
0003195286.tif 000009
【図８】
0003195286.tif 000010
【図９】
0003195286.tif 000011
【図１０】
0003195286.tif 000012
【図１１】
0003195286.tif 000013
【図１２】
0003195286.tif 000014
【図１３】
0003195286.tif 000015
【図１４】
0003195286.tif 000016
【図１５】
0003195286.tif 000017
【図１６】
0003195286.tif 000018
【図１７】
0003195286.tif 000019
【図１８】
0003195286.tif 000020
【図１９】
0003195286.tif 000021
【図２０】
0003195286.tif 000022
【図２１】
0003195286.tif 000023
【手続補正書】
【提出日】平成26年11月4日(2014.11.4)
【手続補正１】
【補正対象書類名】実用新案登録請求の範囲
【補正対象項目名】請求項２
【補正方法】変更
【補正の内容】
【請求項２】
前記ショーツの前身ごろとクロッチ部が一体化し且つ布ナプキン（生理帯）をなす取替え可能な第一部位は、選択組み合わせた吸収シートや防水シートを包み込むことで成るという特徴を有する請求項１記載のＴバック・ニタリーショーツ。